(57)【要約】      （修正有）【課題】ヘルメット内部の温度上昇を確実に抑制することができる遮熱ヘルメットを提供すること。【解決手段】遮熱ヘルメット１の帽体部２の内面及び／または断熱材６には、遮熱塗料が塗布するとともに、帽体部２の内側に気泡シート６Ａが２枚以上積層されている。該遮熱ヘルメット１では、帽体部２の内側中央付近に、グラスウールからなる衝撃吸収材が配設されており、帽体部２の後方付近に、使用者の首の後側を被覆可能な被覆材が配設されている。また、該遮熱ヘルメット１では、帽体部２の中央付近に通気口が配設されている。【選択図】図２
2014080693.tif 000002
【特許請求の範囲】
【請求項１】
帽体部の外面に遮熱塗料が塗布されているとともに、帽体部の内側に気泡シートを含む断熱材が配設されていることを特徴とする遮熱ヘルメット。
【請求項２】
帽体部の内面および／または断熱材には、遮熱塗料が塗布されていることを特徴とする請求項１の遮熱ヘルメット。
【請求項３】
断熱材は、気泡シートが２枚以上積層されていることを特徴とする請求項１または２の遮熱ヘルメット。
【請求項４】
帽体部の内側中央付近に、グラスウールからなる衝撃吸収材が配設されていることを特徴とする請求項１から３のいずれかの遮熱ヘルメット。
【請求項５】
帽体部の後方付近に、使用者の首の後側を被覆可能な被覆材が配設されていることを特徴とする請求項１から４のいずれかの遮熱ヘルメット。
【請求項６】
帽体部の中央付近に通気口が配設されていることを特徴とする請求項１から５のいずれかの遮熱ヘルメット。
【発明の詳細な説明】
【技術分野】
【０００１】
本発明は、遮熱効果を有するヘルメットに関する。
【背景技術】
【０００２】
従来より、ヘルメットの内部の温度上昇を抑制するための工夫がなされている。例えば特許文献１では、外側表面に遮熱塗料を塗布したヘルメット（防暑帽）が提案されており、このヘルメットは、遮熱塗料によってヘルメット外側に照射される太陽光を反射させている。
【先行技術文献】
【特許文献】
【０００３】
【特許文献１】特開2000−27020号公報
【発明の概要】
【発明が解決しようとする課題】
【０００４】
しかしながら、特許文献１のヘルメットのように、一般的な遮熱塗料によって太陽光を反射させるだけでは遮熱効果は十分ではなく、ヘルメット内部にまで熱が及ぶことが避けられない。
【０００５】
本発明は、以上のとおりの事情に鑑みてなされたものであり、ヘルメット内部の温度上昇を確実に抑制することができる遮熱ヘルメットを提供することを課題としている。
【課題を解決するための手段】
【０００６】
上記の課題を解決するために、本発明の遮熱ヘルメットは、帽体部の外面に遮熱塗料が塗布されているとともに、帽体部の内側に気泡シートを含む断熱材が配設されていることを特徴としている。
【０００７】
この遮熱ヘルメットでは、帽体部の内面および／または断熱材には、遮熱塗料が塗布されていることが好ましい。
【０００８】
この遮熱ヘルメットでは、断熱材は、気泡シートが２枚以上積層されていることがより好ましい。
【０００９】
この遮熱ヘルメットでは、帽体部の内側中央付近に、グラスウールからなる衝撃吸収材が配設されていることがさらに好ましい。
【００１０】
この遮熱ヘルメットでは、帽体部の後方付近に、使用者の首の後側を被覆可能な被覆材が配設されていることが一層好ましい。
【００１１】
この遮熱ヘルメットでは、帽体部の中央付近に通気口が配設されていることがより一層好ましい。
【発明の効果】
【００１２】
本発明の遮熱ヘルメットによれば、ヘルメット内部の温度上昇を確実に抑制することができる。
【図面の簡単な説明】
【００１３】
【図１】（Ａ）は、本発明の遮熱ヘルメットの一実施形態を例示した斜視図であり、（Ｂ）は、（Ａ）に例示した遮熱ヘルメットの縦断面図である。
【図２】図１（Ｂ）に例示した遮熱ヘルメットのＨ部の拡大断面図である。
【図３】本発明の遮熱ヘルメットの別の実施形態を例示した拡大断面図である。
【図４】本発明の遮熱ヘルメットの別の実施形態を例示した拡大断面図である。
【図５】本発明の遮熱ヘルメットの別の実施形態を例示した縦断面図である。
【図６】（Ａ）（Ｂ）は、本発明の遮熱ヘルメットの別の実施形態を例示した縦断面図である。
【図７】本発明の遮熱ヘルメットの別の実施形態を例示した縦断面図である。
【発明を実施するための形態】
【００１４】
図１（Ａ）は、本発明の遮熱ヘルメットの一実施形態を例示した斜視図であり、図１（Ｂ）は、図１（Ａ）に例示した遮熱ヘルメットの縦断面図である。図２は、図１（Ｂ）に例示した遮熱ヘルメットのＨ部の拡大断面図である。
【００１５】
遮熱ヘルメット１は、帽体部２の内側にハンモック３、ヘッドバンド４、あご紐５が配設されている。
【００１６】
帽体部２は、強度が高く軽量な材料で形成することが好ましく、例えば、ＡＢＳ樹脂、ＦＲＰ樹脂、ＰＣ樹脂などの各種の熱可塑性樹脂、熱硬化性樹脂などの材料を好ましく例示することができる。
【００１７】
帽体部２の外面２a全体には遮熱塗料Ｂ１が塗布されている。遮熱塗料Ｂ１は特に限定されず、水性塗料、有機溶媒型塗料、粉体塗料のいずれの形態であってもよいが、溶媒又は分散媒を含む液状塗料であることが望ましい。具体的には、例えば、遮熱塗料Ｂ１は、ビヒクルと、ビヒクルを溶解又は分散する液状媒体と、金属粉末とを含むことができる。
【００１８】
ビヒクルとしては、アクリル樹脂、ポリ酢酸ビニル樹脂、塩化ビニル樹脂、塩化ビニリデン樹脂、熱可塑性エラストマなどの熱可塑性樹脂、ＢＲ、ＳＢＲ、ＮＢＲ、ＣＲ、ＥＰＤＭ、フッ素ゴムなどのゴム類など、溶媒又は分散媒が蒸発することで被膜を形成するものを用いることができる。場合によっては、ポリオールとイソシアネートからなるウレタン樹脂、フェノール樹脂、エポキシ樹脂などの熱硬化性樹脂を用いることもできる。
【００１９】
ビヒクル及び液状媒体としては、水系エマルジョンを用いることが特に好ましい。水系エマルジョンとしては、アクリルエマルジョン、シリコンアクリルエマルジョン、ウレタンエマルジョン、ウレタンアクリルエマルジョン、ＳＢＲエマルジョン、エポキシエマルジョンなどが例示され、また、水ガラス、コロイダルシリカなどの無機バインダも用途に応じて各種選択して用いることができる。
【００２０】
金属粉末は、熱反射性を有するものであって、チタン、アルミニウム、金、銀、インジウム、銅およびこれらの酸化物などの粉末が例示される。また、厳密な意味では金属ではないが、本発明では、表面に金属光輝層を形成し熱反射性を有する、シリカ、ガラス、マイカ、タルクなどの粉末も金属粉末に含むものとする。金属粉末の形状は特に限定されないが、例えば、球状、鱗片状などの形状を例示することができる。さらに、断熱性を確保するためには、金属粉末は、断熱塗料中に２０質量％以上含まれていることが好ましい。
【００２１】
なかでも、遮熱塗料Ｂ１は、アミノ酸金属塩、エポキシアルコキシシラン、チタン粉末およびアクリル系エマルジョンを含有していることが特に好ましく、このような遮熱塗料Ｂ１は特に優れた遮熱効果を発揮する。
【００２２】
アミノ酸金属塩のアミノ酸の具体例としては、グリシン、アラニン、バリン、ロイシン、フェニルアラニン、チロシン、トレオニン、トリプトファン、メチオニン、アスパラギン酸、リジン、アルギニン、ヒスチジンピドール酸、Ｌ−グルタミン酸、Ｌ−グルチム酸、Ｌ−グルチミン酸、Ｌ−グルタミン酸ラクタム、Ｌ−グルチミニン酸、Ｌ−ピロリドンカルボン酸、Ｌ−ピログルタミン酸、オキソプロリンのうちの１種または２種以上を例示することができる。これらの中でも、Ｌ−ピロリドンカルボン酸は、遮熱効果に優れているためより好ましい。
【００２３】
アミノ酸金属塩の金属としては、例えば、銀、銅、亜鉛、錫、アルミニウム、チタンなどを例示することができる。アミノ酸金属は分散し、金属がイオン化した状態となる。特に、銀イオン、亜鉛イオンは遮熱効果に優れているため好ましい。
【００２４】
アミノ酸金属塩として亜鉛塩を例にとって示すと、グリシン亜鉛、グルタミン酸亜鉛、アラニン亜鉛、バリン亜鉛、メチオニン亜鉛、リジン亜鉛などを例示することができる。
【００２５】
さらに、この遮熱塗料は、このようなアミノ酸金属塩を単独で配合してもよく、または２種以上を配合することができる。結合する金属の種類が異なるアミノ酸金属塩を２種以上混合することによって、遮熱効果を高めることができる。具体的には、アミノ酸銀、アミノ亜鉛の両方を混合して使用することが特に好ましい。
【００２６】
また、アミノ酸金属塩は、遮熱塗料の全量の０．０００１％〜１２％（重量％）、好ましくは、２％〜０．０１％配合される。配合量が０．０００１％以下である場合、遮熱効果を得ることが難しい。
【００２７】
このような遮熱塗料Ｂ１としては、具体的には、遮熱効果に加え、有機物分解性を有し、抗菌・消臭効果に優れたものとして、高圧ガス工業株式会社製（発売元n-tech株式会社）「Blue on Tech」などを例示することができる。
【００２８】
外面２aに塗布される遮熱塗料Ｂ１の厚さは、特に限定されず、遮熱効果を考慮して適宜設計することができる。一応の目安としては、例えば、１０μｍ〜４００μｍ程度の範囲を例示することができる。
【００２９】
さらに、図１、図２で例示した遮熱ヘルメット１では、帽体部２の内面２b全体に遮熱塗料Ｂ２が塗布され、その内側に気泡シート６Ａを含む断熱材６が配設されている。遮熱塗料Ｂ２は特に限定されず、帽体部２の外面２aに塗布される遮熱塗料Ｂ１と同様のものを適宜使用することができる。また、遮熱塗料Ｂ２の厚さも特に限定されず、一応の目安としては、例えば、１０μｍ〜４００μｍ程度の範囲を例示することができる。
【００３０】
断熱材６を構成する気泡シート６Ａは、凸状のキャップ部６１aを多数有するキャップフィルム６１と、平坦なバックフィルム６２とを、キャップ部６１aの底面で貼り合わせて形成されている。したがって、気泡シート６Ａの表面側には凸状のキャップ部６１aと、平坦部６１b（キャップ部６１aが設けられていない領域）とが形成されている。気泡シート６Ａは、キャップ部６１aの内部に空気が封入されているため、遮熱性、クッション性に優れている。
【００３１】
より具体的には、気泡シート６Ａは、物品の梱包などにおける緩衝材として利用可能なシート材料（例えば、川上産業株式会社製「プチプチ」（登録商標）やシールド・エア・コーポレーション社製「Bubble Wrap」（登録商標）など）を例示することができ、材料は、例えば、ポリエチレンなどの各種プラスチックを例示することができる。さらに、気泡シート６Ａのキャップ部６１aの凸形状は特に限定されないが、例えば、円柱状などに形成することが好ましい。キャップ部６１aの高さ、径、数、ピッチ、配置などは特に限定されず、遮熱性、クッション性などを考慮して適宜設計することができる。気泡シート６Ａは、キャップ部６１aの内部に空気が封入されているため、遮熱性、クッション性を有している。
【００３２】
遮熱ヘルメット１は、帽体部２の外面２aおよび内面２bに遮熱塗料Ｂ１、Ｂ２が塗布されているため、ヘルメット外側から照射される太陽光を効率的に反射させることができ、ヘルメット内部に熱が及び難い。
【００３３】
そして、帽体部２の内側には、気泡シート６Ａを含む断熱材６が配設されているため、気泡シート６Ａのキャップ部６１a内に封入された空気によって外部からの熱伝導が遮られる。このため、帽体部２の内側に熱が及んだとしても、断熱材６によって熱が遮られるため、より確実にヘルメット内部の温度上昇を抑制することができる。また、気泡シート６Ａを含む断熱材６は、封入された空気によってクッション性を有するため衝撃吸収性にも優れている。
【００３４】
また、帽体部２の内側（内面２b）に、遮熱効果に加え、有機物分解性を有する遮熱塗料Ｂ２を使用することで（例えば、高圧ガス工業株式会社製（発売元n-tech株式会社）「Blue on Tech」など）、ヘルメット内の汗や汚れなどが分解することができ、これによって、抗菌・消臭効果が発揮されるため、ヘルメット内を清浄に維持することができる。
【００３５】
図３は、本発明の遮熱ヘルメットの別の実施形態を例示した拡大断面図である。図２と同様に、図１のＨ部の拡大断面図として例示している。
【００３６】
図１、図２で例示した形態と共通する部分には、同一の符号を付し、以下では説明を一部省略する。
【００３７】
図３に例示した遮熱ヘルメット１では、帽体部２の外面２aに遮熱塗料Ｂ１が塗布されているとともに、内面２bに断熱材６が配設されている。
【００３８】
断熱材６は、気泡シート６Ａとシート部材７とによって構成されている。具体的には、気泡シート６Ａは、裏面側（バックフィルム６２側）が帽体部２の内面２bに接着されているとともに、気泡シート６Ａの表面側（キャップフィルム６１側）に平坦なシート部材７が接着されている。
【００３９】
シート部材７としては、例えば、平坦なビニルシート（ポリ塩化ビニルシート）、ポリエチレンラミネートクロス（PE）シート、ナイロン製シート、ポリエステル製シートなどを例示することができる。
【００４０】
そして、シート部材７には、ヘルメットの内側に位置する面に、遮熱塗料Ｂ２が塗布されている。この遮熱塗料Ｂ２は、帽体部２の外面２aに塗布した遮熱塗料Ｂ１と同様のものを使用することができる。
【００４１】
この遮熱ヘルメット１では、気泡シート６Ａのキャップ部６１a内に空気が封入されていることに加え、その周辺の平坦部６１bの近傍の空気も、対向するシート部材７によって、気泡シート６Ａとシート部材7との間に挟み込まれている。このため、断熱材６に内包される空気の量は多く、また、断熱材６内部での空気の移動も抑制されることによって遮熱効果がさらに向上している。
【００４２】
さらに、シート部材７のヘルメットの内側に位置する面に遮熱塗料Ｂ２が塗布されているため、遮熱効果の向上が図られるともに、より効果的に抗菌・消臭効果を発揮させることができる。
【００４３】
図４は、本発明の遮熱ヘルメットの別の実施形態を例示した拡大断面図である。図２と同様に、図１のＨ部の拡大断面図として例示している。
【００４４】
図１、図２で例示した形態と共通する部分には、同一の符号を付し、以下では説明を一部省略する。
【００４５】
この遮熱ヘルメット１は、帽体部２の外面２aおよび内面２bに、遮熱塗料Ｂ１、Ｂ２が塗布されている。このため、ヘルメット外側から照射される太陽光を効率的に反射させることができ、ヘルメット内部に熱が及び難い。
【００４６】
さらに、帽体部２の内側には、断熱材６として、２枚の気泡シート６Ａ、６Ｂが重ねて配設されている。具体的には、２枚の気泡シート６Ａ、６Ｂは、互いに表面側（キャップフィルム６１側）が当接対峙した状態で、一方の気泡シート６Ａの裏面側（バックフィルム６２側）が帽体部２の内面２bに接着されている。また、ヘルメット内側に位置する他方の気泡シート６Ｂの裏面側（バックフィルム６２側）には、遮熱塗料Ｂ３が塗布されている。遮熱塗料Ｂ３は特に限定されず、遮熱塗料Ｂ１、Ｂ２と同様のものを適宜使用することができる。
【００４７】
対向する２枚の気泡シート６Ａ、６Ｂは、表面側（キャップフィルム６１側）が互いに当接対峙しているため、多量の空気が内包されている。すなわち、２枚の気泡シート６ＡＡ、６Ｂのキャップ部６１a内に含まれる空気と、平坦部６１bの近傍の空気が封入されてさらに厚い空気層が形成されるため、遮熱性がさらに向上している。また、２枚の気泡シート６Ａ、６Ｂは、例えば、一方の気泡シート６Ａのキャップ部６１aが、他方の気泡シート６Ｂの平坦部６１bと対向するように配置して密着させることで、空気の移動をより確実に抑制することができ、これによって遮熱性をさらに向上させることができる。
【００４８】
図５は、本発明の遮熱ヘルメットの別の実施形態を例示した縦断面図である。図１〜図４と共通する部分には同一の符号を付し、以下では説明を一部省略する。
【００４９】
図５に例示したように、遮熱ヘルメット１では、帽体部２の外面２aに遮熱塗料Ｂ１が塗布されているとともに、帽体部２の内側（内面２b）に、例えば図１〜図４に例示したような断熱材６が配設されている。帽体部２の内面２aおよび／または断熱材６には、遮熱塗料Ｂ２が塗布されている。
【００５０】
さらに、この遮熱ヘルメット１では、帽体部２内側の断熱材６とハンモックとの間において、帽体部２中央付近に、グラスウールからなる衝撃吸収材８が配設されている。
【００５１】
遮熱ヘルメット１にグラスウールからなる衝撃吸収材８が配設されていることで、比較的軽量で、ヘルメット内の通気性を妨げることなく、衝撃吸収性、安全性を高めることができる。
【００５２】
図６（Ａ）（Ｂ）は、本発明の遮熱ヘルメットの別の実施形態を例示した縦断面図である。図１〜図４と共通する部分には同一の符号を付し、以下では説明を一部省略する。
【００５３】
図６（Ａ）に例示したように、遮熱ヘルメット１では、帽体部２の外面２aに遮熱塗料Ｂ１が塗布されているとともに、帽体部２の内側（内面２b）に、例えば図１〜図４に例示したような断熱材６が配設されている。帽体部２の内面２aおよび／または断熱材６には、遮熱塗料Ｂ２が塗布されている。
【００５４】
さらに、この遮熱ヘルメット１では、帽体部２の後方付近に、使用者の首の後側を被覆可能な被覆材９が配設されている。被覆材９は、例えば、布などであってよく、適宜な方法で巻き上げて帽体部２の内部に収納しておくことができる。
【００５５】
そして、図６（Ｂ）に例示したように、被覆材９の使用時には、例えば、帽体部２の後方付近に収納されている被覆材９を下方に引き出して使用者の首の後側を覆うことができる。この遮熱ヘルメット１では、被覆材９が配設されていることで使用者の首筋に直射日光が当たるのを抑制できるため、夏場の日射病などを予防することができ、より使い勝手が良好となる。
【００５６】
図７は、本発明の遮熱ヘルメットの別の実施形態を例示した縦断面図である。図１〜図４と共通する部分には同一の符号を付し、以下では説明を一部省略する。
【００５７】
図７に例示したように、遮熱ヘルメット１では、帽体部２の外面２aに遮熱塗料Ｂ１が塗布されているとともに、帽体部２の内側（内面２b）に、例えば図１〜図４に例示したような断熱材６が配設されている。帽体部２の内面２aおよび／または断熱材６には、遮熱塗料Ｂ２が塗布されている。
【００５８】
さらに、遮熱ヘルメット１は、帽体部２の中央付近（使用者の頭頂部の上方付近）に、上下に貫通する通気口Ｓが複数配設されている。通気口Ｓの形状、大きさ、位置、配設数などは、帽体部２の強度や通気性などを考慮して適宜設計することができる。
【００５９】
遮熱ヘルメット１は、遮熱塗料Ｂ１、Ｂ２および断熱材６による遮熱効果によって内部の温度上昇が抑制されるとともに、例えば図７中の矢印に例示したように、使用者の頭部からの熱気が通気口Ｓを介して外部に放出される。このため、遮熱ヘルメット１は、通気性が良好となり、内部に熱や湿気がこもることがないため、内部の温度上昇や雑菌の繁殖などが確実に抑制され、より快適な使用感を与えることができる。
【００６０】
本発明の遮熱ヘルメットは、以上の形態に限定されるものではない。例えば、断熱材を構成する気泡シートは２枚以上積層されてよく、具体的には、遮熱性を考慮して２〜８枚程度の範囲で適宜設計することができる。気泡シートの枚数が多いほど遮熱効果を向上する。また、断熱材に遮熱塗料を塗布する場合には、例えば、図３に例示したようにシート材を利用することもできるし、気泡シートに直接塗布することもできる。さらに、気泡シートを２枚以上積層させる場合には、気泡シートのうちの１または２枚以上に遮熱塗料を塗布することができる。複数の気泡シートに遮熱塗料を塗布することで、遮熱効果はさらに向上する。また、帽体部の形状や、ハンモック、ヘッドバンド、あご紐の配設の有無などは適宜設計することができる。
【符号の説明】
【００６１】
１    遮熱ヘルメット
２    帽体部
２a  外面
６    断熱材
６Ａ  気泡シート
８  衝撃吸収材
９  被覆材
Ｓ  通気口
【図１】
2014080693.tif 000003
【図２】
2014080693.tif 000004
【図３】
2014080693.tif 000005
【図４】
2014080693.tif 000006
【図５】
2014080693.tif 000007
【図６】
2014080693.tif 000008
【図７】
2014080693.tif 000009